(57)【特許請求の範囲】
【請求項１】
送信制御信号に基づいて送信動作を行う無線装置と、
この無線装置を制御する送信制御信号を出力する中央制御装置と、
この中央制御装置の障害を検出する障害検出手段と、
この障害検出手段にて前記中央制御装置の障害を検出すると、前記無線装置の送信動作を停止する指令信号を出力する指令出力手段と、
前記中央制御装置が出力する送信制御信号及び、前記指令出力手段が出力する指令信号の信号レベルに基づいて、前記無線装置の通信状態を検出する無線装置状態検出手段と、
前記無線装置状態検出手段にて検出された無線装置の通信状態を報知する報知手段とを有することを特徴とする無線装置の送信制御回路。
【請求項２】
送信制御信号に基づいて送信動作を行う無線装置と、
この無線装置を制御する送信制御信号を出力すると共に、所定周期毎に送信継続信号を出力する中央制御装置と、
所定カウント時間中に前記送信継続信号の出力有無を検出する継続信号監視手段と、
この継続信号監視手段にて送信継続信号の出力無を検出すると、前記無線装置の送信動作を停止する指令信号を出力する指令出力手段と、
前記中央制御装置が出力する送信制御信号及び、前記指令出力手段が出力する指令信号の信号レベルに基づいて、前記無線装置の通信状態を検出する無線装置状態検出手段と、
前記無線装置状態検出手段にて検出された無線装置の通信状態を報知する報知手段とを有することを特徴とする無線装置の送信制御回路。
【請求項３】
送信制御信号に基づいて送信動作を行う無線装置と、
この無線装置を制御する送信制御信号を出力すると共に、所定周期毎に送信継続信号を出力する中央制御装置と、
所定カウント時間中に前記送信継続信号の出力有無を検出する継続信号監視手段と、
この継続信号監視手段にて送信継続信号の出力無を検出すると、前記無線装置の送信動作を停止する指令信号を出力する指令出力手段と、
前記中央制御装置が出力する送信制御信号及び、前記指令出力手段が出力する指令信号の信号レベルに基づいて、前記無線装置の通信状態を検出する無線装置状態検出手段と、
前記無線装置状態検出手段にて検出された無線装置の通信状態を報知する報知手段とを有し、
前記中央制御装置は、正常に動作しているときに所定周期毎に送信継続信号を出力し、
前記継続信号監視手段は、この所定周期毎の送信継続信号の出力有を検出すると、計時中のカウント時間をリセットし、
前記指令出力手段は、前記継続信号監視手段にて所定周期毎の送信継続信号の出力有を検出すると、前記無線装置の送信動作を継続する指令信号を出力することを特徴とする無線装置の送信制御回路。
【請求項４】
前記報知手段は、前記無線装置状態検出手段にて検出された無線装置の通信状態を通知する表示手段であることを特徴とする請求項１ないし３のいずれか一に記載の無線装置の送信制御回路。
【発明の詳細な説明】
【０００１】
【発明の属する技術分野】
本発明は、例えば携帯無線等に使用される無線装置の送信制御回路に関する。
【０００２】
【従来の技術】
従来、このような一般的な無線装置の送信制御回路によれば、送信機能の制御に中央制御装置を用いるようにしているが、例えば中央制御装置のクロックがとぎれてしまったり、他の機器との通信がとぎれてしまうと、この中央制御装置が誤動作を引き起こし、制御不能の暴走状態に陥ってしまうといったことが考えられる。
【０００３】
このような無線装置の中央制御装置の暴走状態を正常に戻すためには、無線装置全体の電力供給源である電池を取り外すといったマニュアル操作を行うことにより、中央制御装置をリセットすることで暴走状態を正常に戻すことができた。
【０００４】
【発明が解決しようとする課題】
しかしながら、上記従来の無線装置の送信制御回路によれば、中央制御装置が暴走状態に陥った場合には、前述したマニュアル操作を行わなければ、その送信制御信号の制御を行うことができず、結果的に無線装置は連続送信状態に陥ってしまうので、不要な送信動作による電波妨害や電力消費を引き起こしてしまうといった第１の問題点があった。
【０００５】
また、中央制御装置が暴走状態に陥ったとしても、ユーザーがマニュアル操作を行えば、中央制御装置の暴走状態を正常に戻して連続送信動作を停止することができるが、ユーザーには、なかなか中央制御装置の暴走状態を認識することができないといった第２の問題点があった。
【０００６】
本発明は上記第１の問題点に鑑みてなされたものであり、その第１の目的とするところは、中央制御装置の暴走状態に陥ったとしても、それに伴う連続送信動作による電波妨害や電力消費を防止することができる無線装置の送信制御回路を提供することにある。
【０００７】
また、本発明は上記第２の問題点に鑑みてなされたものであり、その第２の目的とするところは、ユーザー側に中央制御装置が暴走状態に陥ったことを認識させることができる無線装置の送信制御回路を提供することにある。
【０００８】
【課題を解決するための手段】
上記第１の目的を達成するために本発明の無線装置の送信制御回路は、送信制御信号に基づいて送信動作を行う無線装置と、この無線装置を制御する送信制御信号を出力する中央制御装置と、この中央制御装置の障害を検出する障害検出手段と、この障害検出手段にて前記中央制御装置の障害を検出すると、前記無線装置の送信動作を停止する指令信号を出力する指令出力手段と、前記中央制御装置が出力する送信制御信号及び、前記指令出力手段が出力する指令信号の信号レベルに基づいて、前記無線装置の通信状態を検出する無線装置状態検出手段と、前記無線装置状態検出手段にて検出された無線装置の通信状態を報知する報知手段とを有するようにした。
【０００９】
従って、本発明の無線装置の送信制御回路によれば、中央制御装置に暴走等の異常状態（障害）が発生したとしても、無線装置の送信動作を自動的に停止させるようにしたので、中央制御装置の暴走状態に伴う連続送信動作による電波妨害や電力消費を確実に防止することができる。
【００１０】
また、上記第２の目的を達成するために本発明の無線装置の送信制御回路は、上記構成に加えて、前記中央制御装置が出力する送信制御信号及び、前記指令出力手段が出力する指令信号との信号レベルに基づいて、前記無線装置の通信状態を検出する無線装置状態検出手段と、前記無線装置状態検出手段にて検出された無線装置の通信状態を報知する報知手段とを有するようにした。
【００１１】
従って、本発明の無線装置の送信制御回路によれば、中央制御装置に暴走等の異常状態（障害）が発生したとしても、報知手段にて無線装置の通信状態をユーザーに報知するようにしたので、ユーザーは報知手段の報知内容から、無線装置の通信状態、ひいては中央制御装置の暴走状態を認識することができる。
【００１２】
【発明の実施の形態】
本発明における請求項１記載の無線装置の送信制御回路は、送信制御信号に基づいて送信動作を行う無線装置と、この無線装置を制御する送信制御信号を出力する中央制御装置と、この中央制御装置の障害を検出する障害検出手段と、この障害検出手段にて前記中央制御装置の障害を検出すると、前記無線装置の送信動作を停止する指令信号を出力する指令出力手段と、前記中央制御装置が出力する送信制御信号及び、前記指令出力手段が出力する指令信号の信号レベルに基づいて、前記無線装置の通信状態を検出する無線装置状態検出手段と、前記無線装置状態検出手段にて検出された無線装置の通信状態を報知する報知手段とを有することを特徴とする。
【００１３】
前記障害検出手段とは、例えば中央制御装置から正常動作時に所定周期毎に送信されるべき送信継続信号の有無を所定カウント時間中検出し、所定カウント時間中に送信継続信号の出力無を検出すると、この中央制御装置に障害が発生したものと判断する、例えば中央制御装置からの送信継続信号及び電源装置からの電源リセット信号の論理積をとるＡＮＤ回路及びカウンタ回路に相当するものである。
【００１４】
また、前記指令出力手段は、前記障害検出手段にて中央制御装置の障害を検出すると、前記無線装置の送信動作を停止する指令を出力するものであり、例えば入力を中央制御装置からの送信制御信号及び前記カウンタ回路からの出力信号の論理和をとるＯＲ回路に相当するものである。
【００１５】
従って、本発明における請求項１記載の無線装置の送信制御回路によれば、中央制御装置に暴走等の異常状態（障害）が発生したとしても、無線装置の送信動作を自動的に停止させるようにしたので、中央制御装置の暴走状態に伴う連続送信動作による電波妨害や電力消費を確実に防止することができる。
【００１６】
また、本発明における請求項２記載の無線装置の送信制御回路によれば、送信制御信号に基づいて送信動作を行う無線装置と、この無線装置を制御する送信制御信号を出力すると共に、所定周期毎に送信継続信号を出力する中央制御装置と、所定カウント時間中に前記送信継続信号の出力有無を検出する継続信号監視手段と、この継続信号監視手段にて送信継続信号の出力無を検出すると、前記無線装置の送信動作を停止する指令信号を出力する指令出力手段と、前記中央制御装置が出力する送信制御信号及び、前記指令出力手段が出力する指令信号の信号レベルに基づいて、前記無線装置の通信状態を検出する無線装置状態検出手段と、前記無線装置状態検出手段にて検出された無線装置の通信状態を報知する報知手段とを有することを特徴とする。
【００１７】
前記継続信号監視手段とは、例えば中央制御装置から正常動作時に所定周期毎に送信されるべき送信継続信号の有無を所定カウント時間中検出し、所定カウント時間中に送信継続信号の出力無を検出する、つまり送信継続信号の出力がないことが検出されると、この中央制御装置に障害が発生したものと判断し、例えば中央制御装置からの送信継続信号及び電源装置からの電源リセット信号の論理積をとるＡＮＤ回路及びカウンタ回路に相当するものである。
【００１８】
また、前記指令出力手段は、前記継続信号監視手段にて中央制御装置の障害を検出すると、前記無線装置の送信動作を停止する指令を出力するものであり、例えば入力を中央制御装置からの送信制御信号及び前記ＡＮＤ回路からの出力信号の論理和をとるＯＲ回路に相当するものである。
【００２４】
また、本発明における請求項３に記載の無線装置の送信制御回路は、送信制御信号に基づいて送信動作を行う無線装置と、この無線装置を制御する送信制御信号を出力すると共に、所定周期毎に送信継続信号を出力する中央制御装置と、所定カウント時間中に前記送信継続信号の出力有無を検出する継続信号監視手段と、この継続信号監視手段にて送信継続信号の出力無を検出すると、前記無線装置の送信動作を停止する指令信号を出力する指令出力手段と、前記中央制御装置が出力する送信制御信号及び、前記指令出力手段が出力する指令信号の信号レベルに基づいて、前記無線装置の通信状態を検出する無線装置状態検出手段と、前記無線装置状態検出手段にて検出された無線装置の通信状態を報知する報知手段とを有し、前記中央制御装置は、正常に動作しているときに所定周期毎に送信継続信号を出力し、前記継続信号監視手段は、この所定周期毎の送信継続信号の出力有を検出すると、計時中のカウント時間をリセットし、前記指令出力手段は、前記継続信号監視手段にて所定周期毎の送信継続信号の出力有を検出すると、前記無線装置の送信動作を継続する指令信号を出力することを特徴とする。
【００２５】
前記無線装置状態検出手段とは、前記中央制御装置が出力する送信制御信号及び、前記指令出力手段が出力する指令信号の論理和をとるＮＯＲ回路に相当するものである。
【００２６】
前記報知手段とは、前記無線装置状態検出手段にて無線装置の通信状態、例えば無線装置の連続送信動作、ひいては中央制御装置の暴走状態等をユーザーに報知する、例えばブザー等の音声出力部やＬＥＤやディスプレイ等の表示手段に相当するものである。
【００２７】
従って、本発明における請求項１、２又は３記載の無線装置の送信制御回路によれば、中央制御装置に暴走等の異常状態（障害）が発生したとしても、報知手段にて無線装置の通信状態をユーザーに報知するようにしたので、ユーザーは報知手段の報知内容から、無線装置の通信状態、ひいては中央制御装置の暴走状態を認識することができる。
【００２８】
また、本発明における請求項４記載の無線装置の送信制御回路は、上記請求項１ないし３のうち一の記載の構成に加えて、前記報知手段は、前記無線装置状態検出手段にて検出された無線装置の通信状態を通知する表示手段であることを特徴とする。
【００３０】
従って、本発明における請求項４記載の無線装置の送信制御回路によれば、上記請求項１、２又は３記載の効果に加えて、ユーザーは表示手段の表示内容を目視することにより、例えば中央制御装置が暴走状態に陥ったことを認識することができる。
【００３１】
（実施の形態）
以下、図面を参照して、本発明の一実施形態を示す無線装置の送信制御回路について説明する。図１は本実施の形態に示す無線装置の送信制御回路内部の概略構成を示すブロック図である。
【００３２】
図１に示す本実施形態の無線装置の送信制御回路は、送信アンテナ１ａを備え、この送信アンテナ１ａを介して通信電波を送受信する無線装置１と、この送信制御回路全体に電力を供給する電源装置２と、この送信制御回路全体を制御する中央制御装置３と、送信制御部４とで構成される。
【００３３】
この送信制御部４は、さらに細分化され、カウンタ回路４１、４２、４３と、発振回路４４と、ＡＮＤ回路４５と、ＮＯＴ回路４６と、ＯＲ回路４７と、ＮＯＲ回路４８と、ＬＥＤ等の点灯素子４９とで構成される。
【００３４】
尚、このような構成の無線装置の送信制御回路において、無線装置１、電源装置２及び中央制御装置３の各構成部は、従来、一般的な無線装置の送信制御回路に適用されるものとほぼ同一であり、送信制御部４が、新たに追加され、本発明の主要部を構成している。
【００３５】
前記無線装置１は、電源装置２が生成する電源Ｖｃｃを駆動電源とし、前記ＯＲ回路４７の出力である送信指令信号がＬレベルの場合には送信動作を実行し、Ｈレベルの場合には送信動作を停止するものである。
【００３６】
前記中央制御装置３は、この中央制御装置３のプレス端子（ＰＲＳ）が、プルアップ抵抗器Ｒを介して回路駆動電源Ｖｃｃに接続され、また、送信起動スイッチＳＷを介してグランド端子の０Ｖへ開閉自在に接続されている。尚、このプレス端子の電圧レベルの変化は、前記ＯＲ回路４７への一方の入力である送信制御信号ＲＦ−ＰＲＳとなる。
【００３７】
前記送信制御部４は、無線装置１への送信指令信号を出力する回路であり、この送信指令信号に基づいて、無線装置１の送信動作はＯＮ／ＯＦＦ制御されるものである。
【００３８】
送信制御部４を構成する発振回路４４は、水晶素子４４ａを発振源として４ｋＨｚのクロック信号を出力するものである。さらに、３個のカウンタ回路４１、４２、４３は、１６進の桁上げ信号出力端子ＲＣ（または、ＲＣ信号出力端子）を下位のカウント入力端子ＥＮＴへ順次接続することにより、１６×１６×１６＝４０９６［クロック］のカウンタを構成している。
【００３９】
上記のように構成されたカウンタ回路４１、４２、４３には、発振回路４４から４ｋＨｚのクロック信号がカウント同期信号端子ＣＬＫへ入力され、４０９６クロック＝１．０２４秒（所定カウント時間）に達した場合にのみ、最終カウンタ回路４３の出力端子ＲＣからＨレベルの信号が出力されるものである。
【００４０】
また、中央制御装置３の送信継続信号出力端子３ａからは、中央制御装置３が正常動作中の場合には１秒以下の所定周期毎に送信継続信号が出力され、この送信継続信号はＡＮＤ回路４５の一方の入力端子に入力され、このＡＮＤ回路４５を介してカウンタ回路４１、４２、４３の各クリア端子ＣＬＲに入力されるものである。
【００４１】
また、前記ＡＮＤ回路４５は電源装置２の電源リセット信号がＨレベル、前記ＮＯＴ回路４６は出力端子ＲＣの反転信号がＨレベル、前記ＯＲ回路４７は出力端子ＲＣからの出力信号と送信制御信号との何れか一方又は両方がＨレベルになった場合、Ｈレベルの送信指令信号の出力を構成するものである。
【００４２】
また、ＮＯＲ回路４８は、前記中央制御装置３の暴走状態、いわば無線装置１の送信動作停止をユーザーに通知するために点灯素子４９を点灯させる駆動回路に相当するものであり、中央制御装置３からの送信制御信号と、前記ＯＲ回路４７の出力信号である送信指令信号とが共に、Ｌレベルのときにのみ、点灯素子４９を点灯表示するものである。
【００４３】
次に、この送信制御回路の動作について説明する。
【００４４】
送信起動ＳＷを押下すると、中央制御装置３のＰＲＳ端子がＨレベルの「Ｖｃｃ」からＬレベルの「０Ｖ」に変化する。
【００４５】
ＰＲＳ端子がＨレベルの時には、中央制御装置３は、送信起動スイッチＳＷが押下されていないことを結果的に認識していることになる。この状態においては、送信制御部４に対しＨレベルの送信制御信号（ＲＦ−ＰＲＳ）を出力する。
【００４６】
送信起動スイッチＳＷを操作してＰＲＳ端子をＬレベルにすると、中央制御装置３は、送信起動スイッチＳＷが押下されたことを認識して送信制御部４に対しＬレベルの送信制御信号（ＲＦ−ＰＲＳ）と、所定周期（周期：１秒以下）毎に出力されるＬレベルの送信継続信号とを送出する。
【００４７】
送信制御部４では、中央制御装置３から出力される送信制御信号（ＲＦ−ＰＲＳ）と送信制御部４内のカウンタ４３のＲＣ出力（タイマ出力）との論理和をとり、その結果を送信指令信号として無線装置１に出力している。
【００４８】
つまり、無線装置１は、既述のように、ＯＲ回路４７の出力信号である送信指令信号を基に、この送信指令信号がＬレベルなら送信動作を継続し、Ｈレベルなら送信動作を停止する。
【００４９】
また、送信制御部４内のタイマは、発振回路４４から供給される４ｋＨｚのクロックを基に動作し、ＮＯＴ回路４６から端子ＥＮＰへＨレベルの送信継続信号が入力される度に、カウンタ回路４１、４２、４３はクリアされ、つまり計時中の所定カウント時間はリセットされたことになる。
【００５０】
この結果、中央制御装置３が誤動作して送信継続信号の出力が１．０２４秒以上停止する、つまりＬレベルの送信継続信号が１．０２４秒以内に検出されないと、カウンタ回路４３のＲＣ出力はＬレベルからＨレベルに変化する。
【００５１】
これにより、送信指令信号となるＯＲ回路４７の論理和の出力がＨレベルとなり、無線装置１による送信動作を停止する。
【００５２】
尚、このようにカウンタ４３のＲＣ出力からのＨレベルの出力に伴い、前記ＮＯＴ回路４６を介して各カウンタ回路４１、４２、４３の端子ＥＮＰにＬレベルの送信継続信号が入力されると、このカウンタ回路４１、４２、４３のカウンタ動作を停止してしまうので、このカウンタ回路４１、４２、４３自体にリセットをかけない限り動作しないことになる。
【００５３】
上記の動作によれば、中央制御装置３に異常動作が発生したとしても、無線装置１の送信動作を自動的に停止させ、点灯素子４９を点灯するようにしたので、中央制御装置の暴走状態に伴う連続送信動作による電波妨害や電力消費を確実に防止することができると共に、容易に無線装置１の動作状態を目視確認することができる。
【００５４】
【発明の効果】
上記のように構成された本発明の無線装置の送信制御回路によれば、中央制御装置に暴走等の異常状態（障害）が発生したとしても、無線装置の送信動作を自動的に停止させるようにしたので、中央制御装置の暴走状態に伴う連続送信動作による電波妨害や電力消費を確実に防止することができる。
【００５５】
また、本発明の無線装置の送信制御回路によれば、中央制御装置に暴走等の異常状態（障害）が発生したとしても、報知手段にて無線装置の通信状態をユーザーに報知するようにしたので、ユーザーは報知手段の報知内容から、無線装置の通信状態、ひいては中央制御装置の暴走状態を認識することができる。
【図面の簡単な説明】
【図１】本発明の実施の形態に示す無線装置の送信制御回路内部の概略構成を示すブロック図
【符号の説明】
１  無線装置
２  電源装置
３  中央制御装置
４  送信制御部（障害検出手段、継続信号監視手段、指令出力手段）
４１、４２、４３  カウンタ回路（障害検出手段、継続信号監視手段）
４４  発振回路
４５  ＡＮＤ回路（障害検出手段、継続信号監視手段）
４６  ＮＯＴ回路
４７  ＯＲ回路（指令出力手段）
４８  ＮＯＲ回路（無線装置状態検出手段）
４９  点灯素子（報知手段、表示手段）
【図１】
0003958860.tif 000002